(57)【要約】      （修正有）【課題】鴨居部壁面など出入口上部の台板設置面に高さ寸法の余裕がない場所にベース台板を設置可能にするばかりでなく、出入口上部の外観体裁を維持するとともに通行者に対する威圧感、不安感を解消させることが可能な自動ドアの直付け用ベース台板を提供する。【解決手段】長尺な背面板１１の上端に水平な天井板を一体に形成して台板本体１０とし、その背面板１１の下部内面にドア３の戸車７を走行吊架させるレール１３を備え、天井板には、レールの前部位に駆動用モータ１及びコントローラ２を配設するとともに駆動プーリ４および従動プーリを水平状態で配置して両プーリにベルトを巻き掛けるようにし、天井板の前端には、台板本体１０の前面及び下辺部を着脱可能に覆うＬ形カバー１６を取り付け、該カバーの下端部を湾曲面状とした。【選択図】図３
0003189852.tif 000002
【実用新案登録請求の範囲】
【請求項１】
長尺な背面板の上端に水平な天井板を一体に形成して台板本体とし、その背面板の下部内面にドアの戸車を走行吊架させるレールを備え、天井板には、前記レールの前部位に駆動用モータ及びコントローラを配設するとともに駆動プーリおよび従動プーリを水平状態で配置して両プーリにベルトを巻き掛けるようにし、前記天井板の前端には、台板本体の前面及び下辺部を着脱可能に覆うＬ形カバーを取り付け、該カバーの下端部を湾曲面状とした自動ドアの直付け用ベース台板。
【請求項２】
前記カバーの下端部を曲率半径１０〜２０ｍｍの湾曲面状としたことを特徴とする請求項１記載の自動ドアの直付け用ベース台板。
【考案の詳細な説明】
【技術分野】
【０００１】
本考案は、自動ドアの直付け用ベース台板、詳しくは、出入口上部における鴨居部壁面に直付けされ、前面にカバーを開閉可能に取り付けるベース台板であって、内部にドアの戸車を走行させるレールを備えるとともに駆動用モータ（エンジン）、プーリやコントローラ等が取り付け使用されるものである。
【背景技術】
【０００２】
従来、自動ドアの駆動用主要部材を取り付けるベース台板は、特開２００３−３３６４４３号公報（特許文献１）の図１、図２や従来技術を説明する図５にみられるように、長尺な台板本体２０の下端にドア１５の戸車１７を走行吊架させるレール１４を備え、そのレール１４の前部位に駆動用モータ１０に連係する駆動プーリ１１及び従動プーリ１２を配置して両プーリに巻き掛けたベルト１３をドアに連結してドアを開閉動させるようにしている。さらに詳しくは、駆動プーリ１１及び従動プーリ１２は垂直状態で配置、すなわち水平な回転軸で両プーリが回転する状態で配設されていることが多い。
【０００３】
この従来のベース台板は、前後方向の幅寸法（見込み寸法）を小さく設定することが可能であるものの、上下方向の高さ寸法（見付け寸法）が大きな構造であった。
そのため、ベース台板を出入口上部の鴨居部壁面に直付けする場合に、該壁面の配置高さが小さい場所においては従来のベース台板を取り付けることができないため自動ドアの設置に支障を生じる。そこで、駆動プーリ及び従動プーリの配置を変更することにより台板の見付け寸法を短縮することが要請される。
【０００４】
しかしながら、駆動プーリ及び従動プーリの配置変更によってベース台板の見付け寸法を短縮した場合に、見込み寸法（前後方向の幅寸法）が拡大することになり、ベース台板がドアの直上にあって従来装置より前方に突出する外観形態を余儀なくされる。
そのため、出入口上部の外観を損なうばかりか、通行者が入場する際に出入口を見上げる姿勢では前面を覆うカバーから威圧感を受け、特に、身長の高い通行者や長尺物を持っている通行者にとってはカバー下端へ接触する等の不安感を与える不具合が危惧される。
【先行技術文献】
【特許文献】
【０００５】
【特許文献１】特開２００３−３３６４４３号公報の図１、図２及び図５（従来技術）
【考案の概要】
【考案が解決しようとする課題】
【０００６】
本考案は、上記従来不具合に鑑み、鴨居部壁面など出入口上部の台板設置面に高さ寸法の余裕がない場所にベース台板を設置可能にするばかりでなく、出入口上部の外観体裁を維持するとともに通行者に対する威圧感、不安感を解消させることが可能な直付け用ベース台板を提供することを課題とするものである。
【課題を解決するための手段】
【０００７】
斯る本考案の自動ドアの直付け用ベース台板は、長尺な背面板の上端に水平な天井板を一体に形成して台板本体とし、その背面板の下部内面にドアの戸車を走行吊架させるレールを備え、天井板には、前記レールの前部位に駆動用モータ及びコントローラを配設するとともに駆動プーリおよび従動プーリを水平状態で配置して両プーリにベルトを巻き掛けるようにし、前記天井板の前端には、台板本体の前面及び下辺部を着脱可能に覆うＬ形カバーを取り付け、該カバーの下端部を湾曲面状としたことを特徴とする。
【０００８】
上記Ｌ形カバーの湾曲面形状は、曲率半径を１０〜２０ｍｍとすることが好ましい。
その曲率半径を１０ｍｍ未満とした場合は、外観上や通行者の不安感の解消など所期の課題を解消し得ず、曲率半径が２０ｍｍを超える形態にあっては、自動ドアを起動させるセンサー等をカバー表面に取り付けるスペースが不足するからである。
【考案の効果】
【０００９】
本考案によれば、駆動プーリおよび従動プーリの配置形態によりベース台板を短見付けとすることができ、それにより、狭小な鴨居部壁面に設置することができるばかりでなく、外観体裁を維持するとともに出入口環境を改善することができる効果を奏する。
【図面の簡単な説明】
【００１０】
【図１】本考案のベース台板に自動ドアを取り付けた状態の一部切欠せる正面図。
【図２】本考案のベース台板のみを縦断した側面図。
【図３】図１における（３）−（３）線断面図。
【考案を実施するための形態】
【００１１】
本考案の実施例を図面に基づいて説明すれば、図１は、出入口Ｅの直上壁面Ｓにベース台板の台板本体１０を取り付け、それに駆動用モータ１及びコントローラ２を配設するとともにドア３を開閉可能に吊り掛けた自動ドア装置Ａを示す正面図である。
【００１２】
台板本体１０は、アルミ材等の押出成形体であって、図１及び図２に示すように、長尺な背面板１１の上端に水平な天井板１２を一体に形成するとともに背面板１１の下部内面に全長に渉り水平に延びるレール１３を形成し、天井板１２の前半部内面には対向するＬ形片１４ａ，１４ｂにより取付溝１４を形成している。
【００１３】
台板本体１０には、図１及び図３に示すように、前記取付溝１４を利用して一端側に駆動用モータ１及びそれにより駆動される駆動プーリ４を天井板１２にネジ止めして取り付けるとともにコントローラ２を同様に天井板１２に取り付け、他端側にも同様にして従動プーリ５を取り付ける。
駆動プーリ４及び従動プーリ５は、それらの回転軸を従来と違い垂直軸とし、それにより図１の如く水平状態で回転するように配設する。この駆動プーリ４及び従動プーリ５間にはタイミングベルト６が巻き掛けられる。
【００１４】
また、台板本体１０は、前記レール１３上に、ドア３に取り付けた戸車７を転動可能に吊り掛けてドア３を開閉動するよう配設し、タイミングベルト６にはフック８を介してドア３を連結し、それにより駆動用モータ１及びコントローラ２による駆動制御に対応してドア３が所定のタイミングで自動開閉するようにする。
【００１５】
上記台板本体１０において、長尺方向の両端には開口部を覆う側蓋１５ａ，１５ｂを着脱可能に取り付け、また、前記天井板１２の前端には、台板本体１０の前面及び下辺部を着脱可能に覆うＬ形カバー１６を取り付ける。
【００１６】
カバー１６は、上端を水平に屈曲させた支持片１７を形成するとともに下辺の先端に掛止条溝１８を形成し、その支持片１７を台板本体１０の天井板１２の先端縁上に載承させた状態で長手方向の適宜箇所をビス１９により係脱可能に取り付ける。一方、カバー１６の掛止条溝１８には、長手方向の両端部に掛止片２０の一端を係着し、その掛止片２０の他端を前記レール１３の下面部にビス２１により係脱可能に取り付ける。
それにより、台板本体１０の前面部を覆うカバー１６が着脱可能に配設される。
【００１７】
前記カバー１６は、その前面から下面に渉る下端部２２を湾曲面状に加工し、鋭角なコーナー部分がないようにする。
【００１８】
而して、上記ベース台板は、駆動部材である駆動用モータ１、駆動プーリ４、従動プーリ５、タイミングベルト６をレール１３の前面部に配置したことにより上下方向の見付け寸法Ｈを短縮することができた一方で、前後方向の見込み寸法Ｗが拡大することとなった。
しかしながら、見込み寸法Ｗが拡大することによる不具合、例えば、外観上の体裁や通行者が感じる圧迫感や不安感は、出入口の前方へ突出するカバー１６下端の鋭角なコーナー部が湾曲面状に変更されたことにより解消される。
【００１９】
上記ベース台板の具体的形状を例示すれば、次のとおりである。
ベース台板の見込み寸法Ｗは、１３０ｍｍ〜１５５ｍｍ、見付け寸法Ｈは９０ｍｍ〜１０５ｍｍ、カバー１６の湾曲面は曲率半径Ｒが１０ｍｍ〜２０ｍｍであり、好ましくは、Ｗ＝１５０ｍｍ、Ｈ＝１００ｍｍ、Ｒ＝１０ｍｍである。
【００２０】
なお、実施例図面では、自動ドア装置Ａとして片開きドアを例示したが、両開きドアにも適用可能であることは勿論であり、そのドアタイプにより台板本体１０の長さが変更されるものである。
【符号の説明】
【００２１】
１：駆動用モータ
２：コントローラ
３：ドア
４：駆動プーリ
５：従動プーリ
６：タイミングベルト（ベルト）
７：戸車
１０：台板本体
１１：背面板
１２：天井板
１６：Ｌ形カバー（カバー）
【図１】
0003189852.tif 000003
【図２】
0003189852.tif 000004
【図３】
0003189852.tif 000005